(57)【要約】【課題】筐体に収容された復帰ボタンにより外部接続端子の機能を設定することができるので、設定器がなくても外部接続端子の機能を設定するガスメータを提供する。【解決手段】復帰ボタン１６の長押し操作により複数の端子１４、１５の１つが選択される。復帰ボタン１６の短押し操作により選択されている端子１４、１５に用意されている複数の機能の１つが選択される。復帰ボタン１６の長押し操作により、μＣＯＭ１７は、選択されている機能を選択されている端子１４、１５に設定する。【選択図】図１
2019060679.tif 000002
【特許請求の範囲】
【請求項１】
ガスの使用量の積算値が表示される表示部と、外部機器に接続される外部接続端子と、操作部と、を備えたガスメータにおいて、
予め用意された複数の機能のうち前記操作部の操作により選択され、決定された１つの機能を前記外部接続端子に設定する設定部と、を備えたことを特徴とするガスメータ。
【請求項２】
前記外部接続端子が複数設けられ、
前記操作部の第１の所定操作により前記複数の外部接続端子の１つが選択され、
前記操作部の第２の所定操作により前記選択されている外部接続端子に用意されている複数の機能の１つが選択され、
前記設定部は、前記操作部の前記第１の所定操作により、前記選択されている機能を前記選択されている外部接続端子に設定することを特徴とする請求項１に記載のガスメータ。
【請求項３】
前記表示部の表示を制御する表示制御部をさらに備え、
前記表示制御部は、前記表示部の周縁外側に並べて表示された複数の項目名のうち、前記操作部により選択されている機能に応じた項目名に対応する位置に印を表示させることを特徴とする請求項１又は２に記載のガスメータ。
【請求項４】
前記複数の機能は、発信器付き自動切替調整器と接続する端子としての機能を含み、
当該機能には、複数の通報パターンが予め用意され、
前記表示制御部は、前記操作部により選択されている通報パターンを、前記表示部に表示することを特徴とする請求項３に記載のガスメータ。
【請求項５】
前記複数の機能は、単位ガス使用量毎にパルスを出力する端子としての機能を含み、
当該機能には、複数種類の単位ガス使用量が予め用意され、
前記表示制御部は、前記操作部により選択されている単位ガス使用量を、表示することを特徴とする請求項３又は４に記載のガスメータ。
【発明の詳細な説明】
【技術分野】
【０００１】
本発明は、ガスメータに関する。
【背景技術】
【０００２】
近年、ガスメータは、外部接続端子の数を減らすために、接続する外部機器によって端子の機能を切り替えることが考えられている。しかしながら、上記外部接続端子の機能設定としては、ガスメータに設定器を接続することにより行うことが提案されている（特許文献３）。
【０００３】
しかしながら、上述した従来のガスメータでは、設定器がないと設定することができない、という問題があった。
【先行技術文献】
【特許文献】
【０００４】
【特許文献１】特開２０１３−４４５６８号公報
【発明の概要】
【発明が解決しようとする課題】
【０００５】
本発明は、以上の背景に鑑みてなされたものであり、設定器がなくても外部接続端子の機能を設定することができるガスメータを提供することを目的としている。
【課題を解決するための手段】
【０００６】
本発明の態様であるガスメータは、ガスの使用量の積算値が表示される表示部と、外部機器に接続される外部接続端子と、操作部と、を備えたガスメータにおいて、予め用意された複数の機能のうち前記操作部の操作により選択され、決定された１つの機能を前記外部接続端子に設定する設定部と、を備えたことを特徴とする。
【０００７】
また、前記外部接続端子が複数設けられ、前記操作部の第１の所定操作により前記複数の外部接続端子の１つが選択され、前記操作部の第２の所定操作により前記選択されている外部接続端子に用意されている複数の機能の１つが選択され、前記設定部は、前記操作部の前記第１の所定操作により、前記選択されている機能を前記選択されている外部接続端子に設定するようにしてもよい。
【０００８】
また、前記表示部の表示を制御する表示制御部をさらに備え、前記表示制御部は、前記表示部の周縁外側に並べて表示された複数の項目名のうち、前記操作部により選択されている機能に応じた項目名に対応する位置に印を表示させるようにしてもよい。
【０００９】
また、前記複数の機能は、発信器付き自動切替調整器と接続する端子としての機能を含み、当該機能には、複数の通報パターンが予め用意され、前記表示制御部は、前記操作部により選択されている通報パターンを、前記表示部に表示するようにしてもよい。
【００１０】
また、前記複数の機能は、単位ガス使用量毎にパルスを出力する端子としての機能を含み、当該機能には、複数種類の単位ガス使用量が予め用意され、前記表示制御部は、前記操作部により選択されている単位ガス使用量を、表示するようにしてもよい。
【発明の効果】
【００１１】
以上説明したように態様によれば、ガスメータの復帰ボタンにより外部接続端子の機能を設定することができるので、設定器がなくても外部接続端子の機能を設定することができる。
【図面の簡単な説明】
【００１２】
【図１】本発明のガスメータの一実施形態を示す外観正面図である。
【図２】図１に示すガスメータの電気構成図である。
【図３】図１に示すガスメータの部分拡大図である。
【図４】簡易設定モード１における図１の表示部に表示される表示画面を示す図である。
【図５】簡易設定モード２における図１の表示部に表示される表示画面を示す図である。
【図６】簡易設定モード３における図１の表示部に表示される表示画面を示す図である。
【図７】簡易設定モード３における図１の表示部に表示される表示画面を示す図である。
【図８】簡易設定モード３における図１の表示部に表示される表示画面を示す図である。
【図９】簡易設定モード４における図１の表示部に表示される表示画面を示す図である。
【図１０】簡易設定モード４における図１の表示部に表示される表示画面を示す図である。
【発明を実施するための形態】
【００１３】
以下、本発明の一実施形態を、図１ないし図３に基づいて説明する。図１に示すガスメータ１は、当該ガスメータ１を通って燃焼器に供給されるガスの使用量を積算・表示する。本実施形態のガスメータ１は、復帰ボタン１６の操作に応じて、ガスメータ１自体の機能、端子１４、１５の機能の設定を行うことができる。
【００１４】
まず、本実施形態のガスメータ１の構成について説明する。図１ないし図３に示すように、ガスメータ１は、流量計測部１１と、フロントガラス１２と、表示部１３と、外部接続端子としての外部機器１端子１４及びＵバス端子１５と、操作部としての復帰ボタン１６と、設定部、表示制御部としてのマイクロコンピュータ（以下、μＣＯＭ）１７と、これらを収容する筐体１８と、を備えている。
【００１５】
上記筐体１８には、ＬＰガス容器からのガスが流入されるガス流入口１８１と、燃焼器へガスを流出するガス流出口１８２と、が設けられている。上記流量計測部１１は、ガス流入口１８１から流入され、ガス流出口１８２から流出するガス、即ちガスメータ１を通るガスの流量に応じた出力をする。
【００１６】
フロントガラス１２は、筐体１８の開口１８４を内側から覆うように設けられている。表示部１３は、例えば、液晶ディスプレイなどから構成され、ガスの使用量の積算値が表示される。表示部１３は、フロントガラス１２よりも筐体１８の内側に配置され、フロントガラス１２を通してその表示画面が視認できるように筐体１８内に収容されている。
【００１７】
外部機器１端子１４及びＵバス端子１５は、外部機器に接続するための端子である。筐体１８の端子台カバー１８３を外すと、外部機器１端子１４及びＵバス端子１５が露出するように、筐体１８内に収容されている。復帰ボタン１６は、ガスメータ１が遮断されたときに復帰操作が行われるボタンである。
【００１８】
μＣＯＭ１７は、周知のＣＰＵ、ＲＯＭ、ＲＡＭから構成されガスメータ１全体の制御を司る。μＣＯＭ１７は、流量計測部１１からの出力を取り込んで、ガスの使用量の積算値を演算し、演算した積算値を表示部１３に表示する。
【００１９】
次に、上述した構成のガスメータ１の動作の概略について説明する。ガスメータ１のμＣＯＭ１７は、ガスメータ１の遮断時以外に復帰ボタン１６が操作されて簡易設定モード１、２に設定されると、ガスメータ１自体の機能の設定を行う。本実施形態では、μＣＯＭ１７は、簡易設定モード１で、増加流量遮断の設定値について自動設定か手動設定かを設定し、圧力式微小漏洩警告について有効か無効かを設定することができる。
【００２０】
なお、増加流量遮断とは、ガスの増加量が増加流量遮断の設定値を超えるとガスを遮断するガスメータ１の機能である。「自動設定」に設定されると、ガスメータ１は、増加流量遮断の設定値を学習によって自動で設定する。「手動設定」に設定されると、ガスメータ１は予め定めた値に設定することである。圧力式微量漏洩警告とは、圧力センサにより漏洩が検出されるとその旨を警告する機能である。
【００２１】
また、μＣＯＭ１７は、簡易設定モード２で、調整圧閉塞圧異常警告について有効か無効かを設定することができる。調整圧閉塞圧異常警告とは、調整圧、閉塞圧の異常が検出されるとその旨を警告する機能である。
【００２２】
また、μＣＯＭ１７は、復帰ボタン１６の操作により簡易設定モード３、４に設定されると、外部接続１端子１４及びＵバス端子１５の機能の設定を行う。本実施形態では、μＣＯＭ１７は、簡易設定モード３において、外部接続１端子１４に対して、予め用意された外部接続１端子、外部接続２端子、パルス出力端子、遠隔遮断弁開の入力端子としての機能のうち１つを設定する。外部接続１端子とは、警報器と接続する端子であり、外部接続２端子とは、発信器付き自動切替調整器と接続する端子である。パルス出力端子は、単位ガス使用量毎に１パルス出力する端子であり、遠隔遮断弁開の入力端子は、遠隔遮断弁開信号を入力するための端子である。
【００２３】
また、本実施形態では、μＣＯＭ１７は、簡易設定モード４において、Ｕバス端子１５に対して、予め用意されたＵバス端子、外部接続２端子、パルス出力端子、遠隔遮断弁閉の入力端子としての機能のうち１つを設定する。Ｕバス端子とは、検針データなどを管理するための集中管理システムに接続する端子であり、遠隔遮断弁閉の入力端子は、遠隔遮断弁閉信号を入力するための端子である。
【００２４】
次に、上述したガスメータ１の動作の詳細を説明する前に、上記フロントガラス１２及び表示部１３の詳細について、図３を参照して説明する。フロントガラス１２には、表示部１３の上端に沿って複数の項目名が印字されている。項目名としては、ガスメータ自１の機能に対応した「Ｌ固定」、「ＢＲ止め」、「ＡＢＲ止め」、外部接続１端子及びＵバス端子の機能に対応した「外部１」、「外部２」、「パルス」、「遠隔開」、「遠隔止」、「Ｕバス」がある。
【００２５】
「Ｌ固定」は、増加流量遮断の手動設定を示す項目である。「ＢＲ止め」は、圧力式微小漏洩警告の無効を示す項目である。「ＡＢＲ止め」は、調整圧閉塞圧異常警告の無効を示す項目である。
【００２６】
「外部１」は、外部接続１端子を示す項目である。「外部２」は、外部接続２端子を示す項目である。「パルス」は、パルス出力端子を示す項目である。「遠隔開」は、遠隔遮断弁開信号の入力端子を示す項目である。「遠隔閉」は、遠隔遮断弁閉信号の入力端子を示す項目である。
【００２７】
上記表示部１３は、上端に沿って複数のドット（印）を表示するドット表示エリアＡ１が設けられている。ドットは、フロントガラス１２に印字された項目に対向して表示／非表示が制御できる。また、表示部１３のドット表示エリアＡ１の下側には、ガスメータ１の状態を示すセキュリティ表示エリアＡ２が設けられている。さらに、表示部１３のセキュリティ表示エリアＡ２の下側には、ガス使用量の積算値などを表示するセグメント表示エリアＡ３が設けられている。
【００２８】
次に、上述したガスメータ１の動作の詳細について図４〜図１０を参照して説明する。例えば、ガスメータ１の遮断時以外であって、ガスメータ１の設置後に復帰ボタン１６が長押しされると、μＣＯＭ１７は、簡易設定モード１に設定され、図４（Ａ）に示す表示画面を表示部１３に表示する。μＣＯＭ１７は、セグメント表示エリアＡ１の右側に「１」を表示して、簡易設定モード１であることを示す。また、μＣＯＭ１７は、復帰ボタン１６の短押し操作に応じて、表示画面を図４（Ａ）、（Ｂ）、（Ｃ）、（Ｄ）の順に切り替え、さらに短押し操作が行われると図４（Ａ）に戻り、これを繰り返す。ここで、長押しとは、復帰ボタン１６を長く押し続けることを言い、短押しとは、復帰ボタン１６を軽く短めに押すことを言う。
【００２９】
図４（Ａ）は、ガスメータ１の機能のうち増加流量遮断設定値を自動設定、圧力式微小漏洩警告が有効に選択されたことを示す画面である。図４（Ａ）において、μＣＯＭ１７は、ドットは表示せず、セキュリティ表示エリアＡ２の「Ｃ」、「Ｒ」、「下側の括弧」を表示する。
【００３０】
図４（Ｂ）は、ガスメータ１の機能のうち増加流量遮断設定値を自動設定、圧力式微小漏洩警告が無効に選択されたことを示す画面である。図４（Ｂ）において、μＣＯＭ１７は、「ＢＲ止め」の項目に対向するドットを表示し、セキュリティ表示エリアの「Ｃ」、「下側の括弧」を表示する。
【００３１】
図４（Ｃ）は、ガスメータの機能のうち増加流量遮断設定値を手動設定、圧力式微小漏洩警告が有効に選択されたことを示す画面である。図４（Ｃ）において、μＣＯＭ１７は、「Ｌ固定」の項目に対向するドットを表示し、セキュリティ表示エリアの「Ｂ」、「Ｃ」、「Ｒ」、「下側の括弧」を表示する。
【００３２】
図４（Ｄ）は、ガスメータの機能のうち増加流量遮断設定値を手動設定、圧力式微小漏洩警告が無効に選択されたことを示す画面である。図４（Ｃ）において、μＣＯＭ１７は、「Ｌ固定」、「ＢＲ止め」の項目に対向するドットを表示し、セキュリティ表示エリアＡ２の「Ｂ」、「Ｃ」、「下側の括弧」を表示する。
【００３３】
μＣＯＭ１７は、簡易設定モード１時に復帰ボタン１６が長押しされると、そのとき表示部１３に表示されている機能にガスメータ１を設定すると共に、簡易設定モード２に移行する。μＣＯＭ１７は、簡易設定モード２に移行すると、図５（Ａ）に示す表示画面を表示部１３に表示する。μＣＯＭ１７は、セグメント表示エリアＡ３に「２」を表示して、簡易設定モード２であることを示す。また、μＣＯＭ１７は、復帰ボタン１６の短押し操作に応じて、表示画面を図５（Ａ）、（Ｂ）の順に切り替え、さらに短押し操作が行われると図５（Ａ）に戻り、これを繰り返す。
【００３４】
図５（Ａ）は、ガスメータ１の機能のうち調整圧閉塞圧異常警告が有効に選択されたことを示す画面である。図５（Ａ）において、μＣＯＭ１７は、「ＡＢＲ止め」の項目に対向するドットを表示し、セキュリティ表示エリアＡ２の「下側の括弧」を表示する。
【００３５】
図５（Ｂ）は、ガスメータ１の機能のうち調整圧閉塞圧異常警告が無効に選択されたことを示す画面である。図５（Ｂ）において、μＣＯＭ１７は、ドットは表示せず、セキュリティ表示エリアＡ２の「下側の括弧」を表示する。
【００３６】
μＣＯＭ１７は、簡易設定モード２時に長押されると、そのとき表示部１３に表示されている機能にガスメータ１を設定すると共に、簡易設定モード３に移行する。μＣＯＭ１７は、簡易設定モード３に移行すると、図６（Ａ）に示す表示画面を表示部１３に表示する。μＣＯＭ１７は、セグメント表示エリアＡ３の右側に「３」を表示して、簡易設定モード３であることを示す。また、μＣＯＭ１７は、復帰ボタン１６の短押し操作に応じて、表示画面を図６（Ａ）〜（Ｅ）、図７（Ｆ）〜（Ｊ）、図８（Ｋ）〜（Ｎ）の順に切り替え、さらに短押し操作が行われると図６（Ａ）に戻り、これを繰り返す。図６（Ａ）〜（Ｅ）、図７（Ｆ）〜（Ｊ）、図８（Ｋ）〜（Ｎ）は復帰ボタン１６により選択されている機能を表す画面である。よって、復帰ボタン１６の短押し操作は請求項中の第２の所定操作に相当する。
【００３７】
図６（Ａ）は、外部接続１端子１４の機能として、外部接続１端子が選択されたことを示す画面である。図６（Ａ）において、μＣＯＭ１７は、「外部１」に対向するドットを表示させ、セグメント表示エリアＡ３の中央に「０」を表示する。
【００３８】
図６（Ｂ）〜（Ｅ）、図７（Ｆ）〜（Ｉ）は、外部接続１端子１４の機能として、外部接続２端子が選択されたことを示す画面である。図６（Ｂ）〜（Ｅ）、図７（Ｆ）〜（Ｉ）において、μＣＯＭ１７は、「外部２」の項目に対向するドットを表示させる。発信器付き自動調整器に接続される外部接続２端子として機能には、複数の通報パターン「１」〜「６」、「Ｅ」、「Ｆ」が用意されている。μＣＯＭ１７は、図６（Ｂ）〜（Ｅ）、図７（Ｆ）〜（Ｉ）において、セグメント表示エリアＡ３の中央に復帰ボタン１６を短押しする毎に、「１」〜「６」、「Ｅ」、「Ｆ」を順次、表示することにより、選択されている通報パターンを表示する。
【００３９】
図７（Ｊ）、図８（Ｋ）〜（Ｍ）は、外部接続１端子１４の機能として、パルス出力端子が選択されたことを示す画面である。図７（Ｊ）、図８（Ｋ）〜（Ｍ）において、μＣＯＭ１７は、「パルス」の項目に対向するドットを表示させる。パルス出力端子として機能には、複数種類の単位ガス使用量「１Ｌ」、「１０Ｌ」、「１００Ｌ」、「１０００Ｌ」が用意されている。μＣＯＭ１７は、図７（Ｊ）、図８（Ｋ）〜（Ｍ）において、セグメント表示エリアＡ３の中央に復帰ボタン１６を短押しする毎に、「１Ｌ」、「１０Ｌ」、「１００Ｌ」、「１０００Ｌ」を順次、表示することにより、選択されている単位ガス使用量を表示する。
【００４０】
図８（Ｎ）は、外部接続１端子１４の機能として、遠隔遮断弁開の入力端子が選択されたことを示す画面である。図８（Ｎ）において、μＣＯＭ１７は、「遠隔開」の項目に対向するドットを表示させると共に、セグメント表示エリアＡ３の中央に「ＯＰＥｎ」と表示する。
【００４１】
μＣＯＭ１７は、簡易設定モード３時に復帰ボタン１６が長押しされると、そのとき表示部１３に表示されている機能に外部機器１端子１４を設定すると共に、簡易設定モード３から簡易設定モード４に移行する。簡易設定モード３は、外部接続１端子１４の機能を設定するモードであり、簡易設定モード４は、Ｕバス端子１５の機能を設定するモードである。復帰ボタン１６の長押しにより、簡易設定モード３から簡易設定モード４に移行すると共に、表示部１３に表示されている機能に外部機器１端子１４を設定するため、この長押しが請求項中の第１の所定操作に相当する。
【００４２】
μＣＯＭ１７は、簡易設定モード４に移行すると、図９（Ａ）に示す表示画面を表示部１３に表示する。μＣＯＭ１７は、セグメント表示エリアＡ３の右側に「４」を表示して、簡易設定モード４であることを示す。また、μＣＯＭは、復帰ボタンの短押し操作に応じて、表示画面を図９（Ａ）〜（Ｅ）、図１０（Ｆ）〜（Ｊ）の順に切り替え、さらに短押し操作が行われると図９（Ａ）に戻り、これを繰り返す。
【００４３】
図９（Ａ）は、Ｕバス端子の機能として、Ｕバス端子が選択されたことを示す画面である。図９（Ａ）において、μＣＯＭは、「Ｕバス」に対向するドットを表示させ、セグメント表示エリアの中央に「Ｕ−ｂａｓ」を表示する。
【００４４】
図９（Ｂ）〜（Ｅ）、図１０（Ｆ）〜（Ｉ）は、Ｕバス端子１５の機能として、外部接続２端子が選択されたことを示す画面である。図９（Ｂ）〜（Ｅ）、図１０（Ｆ）〜（Ｉ）において、μＣＯＭ１７は、「外部２」の項目に対向するドットを表示させる。発信器付き自動調整器に接続される外部接続２端子として機能には、複数の通報パターン「１」〜「６」、「Ｅ」、「Ｆ」が用意されている。μＣＯＭ１７は、図９（Ｂ）〜（Ｅ）、図１０（Ｆ）〜（Ｉ）において、セグメント表示エリアＡ３の中央に復帰ボタン１６を短押しする毎に、「１」〜「６」、「Ｅ」、「Ｆ」を順次、表示することにより、選択されている通報パターンを表示する。
【００４５】
図１０（Ｊ）は、Ｕバス端子１５の機能として、遠隔遮断弁閉の入力端子が選択されたことを示す画面である。図１０（Ｊ）において、μＣＯＭ１７は、「遠隔止」の項目に対向するドットを表示させると共に、セグメント表示エリアＡ３の中央に「ＣＬＯＳＥ」と表示する。
【００４６】
上述した実施形態によれば、μＣＯＭは、予め用意された複数の機能のうち復帰ボタン１６により選択され、決定された１つの機能を外部接続１端子１４及びＵバス端子１５に設定する。これにより、筐体１８に収容された復帰ボタン１６により外部接続１端子１４及びＵバス端子１５の機能を設定することができるので、設定器がなくても外部接続１端子１４及びＵバス端子１５の機能を設定することができる。
【００４７】
また、上述した実施形態によれば、復帰ボタン１６の長押し操作により外部接続１端子１４及びＵバス端子１５の１つが選択され、復帰ボタン１６の短押し操作により選択されている端子１４、１５に用意されている複数の機能の１つが選択される。また、μＣＯＭ１７は、復帰ボタン１６の長押し操作により、選択されている機能を選択されている端子１４、１５に設定している。これにより、１つの復帰ボタンの操作によって、複数の端子１４、１５の機能を選択することができる。
【００４８】
また、上述した実施形態によれば、μＣＯＭ１７は、表示部１３の上端に並べて表示された複数の項目名のうち、復帰ボタン１６により選択されている機能に応じた項目名に対応する位置にドットを表示させている。これにより、作業者は、ドットに対応する項目名を見て、どの機能が選択されているか直感的に分かるため、経験の浅い作業者でもマニュアルを見なくても設定を簡単に行うことができる。
【００４９】
また、上述した実施形態によれば、複数の機能は、発信器付き自動切替調整器と接続する外部接続２端子としての機能を含み、当該機能には、複数の通報パターンが予め用意されている。μＣＯＭ１７は、図６（Ｂ）〜（Ｅ）、図７（Ｆ）〜（Ｉ）、図９（Ｂ）〜（Ｅ）、図１０（Ｆ）〜（Ｉ）に示すように、復帰ボタン１６により選択されている通報パターンを、表示部１３に表示する。これにより、作業者は、どの通報パターンが選択されているか直感的に分かるため、経験の浅い作業者でもマニュアルを見なくても設定を簡単に行うことができる。
【００５０】
また、上述した実施形態によれば、複数の機能は、単位ガス使用量毎にパルスを出力するパルス出力端子としての機能を含み、当該機能には、複数種類の単位ガス使用量が予め用意されている。μＣＯＭ１７は、復帰ボタン１６により選択されている単位ガス使用量を、表示する。これにより、作業者は、どの単位ガス使用量が選択されているか直感的に分かるため、経験の浅い作業者でもマニュアルを見なくても設定を簡単に行うことができる。
【００５１】
なお、上述した実施形態によれば、フロントガラス１２に印字された項目に対向する位置にドットを表示させていたが、これに限ったものではない。ドットは表示させなくてもよい。
【００５２】
また、上述した実施形態によれば、復帰ボタン１６の長押しにより簡易設定モード１〜４を切り替え、短押しにより簡易設定モード１〜４における機能を切り替えていたがこれに限ったものではない。復帰ボタン１６のダブルクリックや短押しにより簡易設定モード１〜４を切り替え、長押しにより簡易設定モード１〜４における機能を切り替えていたがこれに限ったものではない。
【００５３】
また、上述した実施形態によれば、項目名の下側にドットを表示していたが、これに限ったものではない。どの項目名が選択されているかが分かるような形状の印であればよい。
【００５４】
なお、上述した実施形態によれば、操作部として復帰ボタン１６を用いていたが、これに限ったものではない。操作部としては、ガスメータに固定された操作部であればよく、復帰ボタン１６以外の専用ボタンを用いてもよい。
【００５５】
本発明は上記実施形態に限定されるものではない。即ち、本発明の骨子を逸脱しない範囲で種々変形して実施することができる。
【符号の説明】
【００５６】
１  ガスメータ
１３  表示部
１４  外部機器１端子（外部接続端子）
１５  Ｕバス端子（外部接続端子）
１６  復帰ボタン（操作部）
１７  μＣＯＭ（設定部、表示制御部）
１８  筐体
【図１】
2019060679.tif 000003
【図２】
2019060679.tif 000004
【図３】
2019060679.tif 000005
【図４】
2019060679.tif 000006
【図５】
2019060679.tif 000007
【図６】
2019060679.tif 000008
【図７】
2019060679.tif 000009
【図８】
2019060679.tif 000010
【図９】
2019060679.tif 000011
【図１０】
2019060679.tif 000012